(57)【特許請求の範囲】
【請求項１】
少なくとも外付け電話を収容しており、該外付け電話とＩＳＤＮ網とを接続するターミナルアダプタにおいて、
前記外付け電話から発信指示があった時、２チャネルのＢチャネルをすべて使用中で、かつ、前記発信指示が予め定めた緊急番号に対してのものであるという条件を満たすかどうか判定する判定手段と、
前記条件を満たすと判定されたときには、使用中の２チャネルのＢチャネルのうち、後から使用中となった方のＢチャネルを、強制的に切断する切断手段と、
前記切断手段により切断されたＢチャネルを使用して前記発信指示された前記緊急番号へ発信処理をする発信手段と
を、ＩＳＤＮのプロトコル変換用のＳ／Ｔ点インタフェース部に有することを特徴とするターミナルアダプタ。
【請求項２】
前記切断手段は、切断することとしたＢチャネルに対応した呼番号値を用いてＤチャネル上に切断メッセージを前記ＩＳＤＮ網へ送信する切断メッセージ送信手段と、前記切断メッセージの送信後に前記ＩＳＤＮ網からの切断完了を示す解放メッセージを受信するかどうか監視し、前記解放メッセージの受信を待って前記発信手段に対して前記緊急番号への発信処理を行わせる監視手段とよりなることを特徴とする請求項１記載のターミナルアダプタ。
【請求項３】
少なくとも外付け電話を収容しており、該外付け電話とＩＳＤＮ網とを接続すると共に、互いにバス接続されている複数のターミナルアダプタにおいて、各ターミナルアダプタは、
前記外付け電話から発信指示があった時、前記ＩＳＤＮ網に対して発信処理を行う第１の発信手段と、
前記発信処理後に前記ＩＳＤＮ網から利用可回線／チャネル無しの理由表示を含んだ解放完了メッセージの受信を検出する検出手段と、
前記発信処理が予め定めた緊急番号への発信処理であり、かつ、前記検出手段により前記理由表示を含んだ解放完了メッセージの受信を検出したという条件を満たすかどうか判定する判定手段と、
前記条件を満たすと判定されたときには、現在使用中のＢチャネルを強制的に切断する切断手段と、
前記切断手段により切断されたＢチャネルを使用して前記発信指示された前記緊急番号へ発信処理をする第２の発信手段と
を、ＩＳＤＮのプロトコル変換用のＳ／Ｔ点インタフェース部に有することを特徴とするターミナルアダプタ。
【請求項４】
前記切断手段は、使用中のＢチャネルに対応した呼番号値を用いてＤチャネル上に切断メッセージを前記ＩＳＤＮ網へ送信する切断メッセージ送信手段と、前記切断メッセージの送信後に前記ＩＳＤＮ網からの切断完了を示す解放メッセージを受信するかどうか監視し、前記解放メッセージの受信を待って前記第２の発信手段に対して前記緊急番号への発信処理を行わせる監視手段とよりなることを特徴とする請求項３記載のターミナルアダプタ。
【発明の詳細な説明】
【０００１】
【発明の属する技術分野】
本発明はターミナルアダプタに係り、特に端末装置及び電話をＩＳＤＮ網（Integrated Services Digital Network:サービス統合ディジタル網）に接続させるためのターミナルアダプタに関する。
【０００２】
【従来の技術】
ＩＳＤＮにおける多目的ユーザ・網インタフェースの基本的インタフェース構造は、周知のように、情報チャネルである６４ｋｂｐｓのＢチャネル（ｃｈ）が二つと、制御信号チャネルである１６ｋｂｐｓのＤチャネル（ｃｈ）が一つとからなり、二つのＢチャネルを別々に使用して別々の通信を同時に行いながら、これらの呼制御のための信号を送受信するＤチャネルを使用してパソコン間のパケット通信を行うことができる。このことは、逆にいうと、Ｂチャネルを二つ（以下、２本ともいう）同時に使用していると、他の電話機などでＢチャネルを使用することはできないことを意味する。
【０００３】
従って、従来は、Ｂチャネルを２本使用中に、電話機から発信した場合は、使用中のＢチャネルを切断しなければ発信ができず、使用中のＢチャネルを切断するかどうかは、従来のターミナルアダプタ内の設定により決定されている。このため、ユーザが使用中のＢチャネルの切断を許可する設定をターミナルアダプタに対してしていなかった場合は、緊急番号への発信でもＢチャネルを２本使用中には発信することはできなかった。
【０００４】
そこで、ＩＳＤＮ公衆回線に接続された端末装置からの自動発呼時に、他の通信端末において、Ｂチャネルを２本使用していても、端末装置からの発呼が緊急を要する場合は、使用中のＢチャネルを回線から切り離して、端末装置からの発呼ができるようにＢチャネルを確保するようにした網制御装置が従来より知られている（特開平１１−７４９８８号公報）。
【０００５】
図３はこの網制御装置の一例の構成図を示す。同図において、端末網制御装置５１は、回線終端手段５２、端末通信手段５３及びＳ／Ｔ点切断手段５４からなり、回線終端手段５２がＩＳＤＮ公衆回線のインタフェースＬＩ点に接続されて回線を終端し、端末通信手段５３が端末装置であるガスメータ５５に接続され、Ｓ／Ｔ点切断手段５４が外部の通信端末である電話機５６やターミナルアダプタ５７を接続するためのＳ／Ｔ点を提供すると共に、Ｓ／Ｔ点の外部入出力端子と内部Ｓ／Ｔ点との切断を行う。
【０００６】
この端末網制御装置５１では、ガスメータ５５からのガス洩れ通報要求などの緊急を要する発呼要求が端末通信手段５３にあると、端末通信手段５３が回線終端手段５２を介してＩＳＤＮ公衆回線に対してＢチャネルを使用した通信を要求し、そのとき他の通信端末（電話機５６やターミナルアダプタ５７など）がＢチャネルを２本使用している場合は、ＩＳＤＮ公衆回線からＢチャネルの使用不可の通知を受信するので、このときはＳ／Ｔ切断手段５４へ切断要求信号をし、端末網制御装置５１の下流のＳ／Ｔ点に接続された電話機５６及びターミナルアダプタ５７を回線から切り離す。これにより、ガスメータ５５が使用するＢチャネルを確保することができる。
【０００７】
【発明が解決しようとする課題】
しかるに、上記の公報記載の端末網制御装置５１は、下流のＳ／Ｔ点に接続されたすべての通信端末を回線から切り離してしまうので、ガスメータ５５がＢチャネルを使用する場合には、Ｂチャネルが１本余るにもかかわらず、他の通信端末が通信できなくなってしまう。
【０００８】
また、従来のターミナルアダプタは、Ｂチャネルの切断ができるのは自装置内でＢチャネルを２本使用している場合のみであり、バス接続されている別のターミナルアダプタがＢチャネルを１本使用しているときには、切断ができない。
【０００９】
本発明は以上の点に鑑みなされたもので、緊急を要する発信要求に対して他の通信端末の通信切断を極力少なくしてＢチャネルを確保し得るターミナルアダプタを提供することを目的とする。
【００１０】
また、本発明の他の目的は、バス接続されている別のターミナルアダプタがＢチャネルを１本使用していてもＢチャネルを切断し得るターミナルアダプタを提供することにある。
【００１１】
【課題を解決するための手段】
本発明は上記の目的を達成するため、少なくとも外付け電話を収容しており、外付け電話とＩＳＤＮ網とを接続するターミナルアダプタにおいて、外付け電話から発信指示があった時、２チャネルのＢチャネルをすべて使用中で、かつ、発信指示が予め定めた緊急番号に対してのものであるという条件を満たすかどうか判定する判定手段と、条件を満たすと判定されたときには、使用中の２チャネルのＢチャネルのうち、後から使用中となった方のＢチャネルを、強制的に切断する切断手段と、切断手段により切断されたＢチャネルを使用して発信指示された緊急番号へ発信処理をする発信手段とを、ＩＳＤＮのプロトコル変換用のＳ／Ｔ点インタフェース部に有することを特徴とする。
【００１２】
この発明では、Ｂチャネルを２チャネルすべて使用していても、緊急番号の発信指示があったときには、使用中の２チャネルのＢチャネルのうち、後から使用中となった方のＢチャネルを切断して、切断したＢチャネルを使用して緊急番号への発信を優先させることができる。
【００１３】
また、上記の目的を達成するため、本発明における上記の切断手段は、切断することとしたＢチャネルに対応した呼番号値を用いてＤチャネル上に切断メッセージをＩＳＤＮ網へ送信する切断メッセージ送信手段と、切断メッセージの送信後にＩＳＤＮ網からの切断完了を示す解放メッセージを受信するかどうか監視し、解放メッセージの受信を待って発信手段に対して緊急番号への発信処理を行わせる監視手段とよりなることを特徴とする。
【００１４】
この発明では、使用中のＢチャネルの回線切断と、回線切断完了の待ち合わせを自動的に行い、ユーザに対して通常の発信と同じユーザインタフェースを提供することかできる。
【００１５】
また、本発明は上記の目的を達成するため、少なくとも外付け電話を収容しており、外付け電話とＩＳＤＮ網とを接続すると共に、互いにバス接続されている複数のターミナルアダプタにおいて、各ターミナルアダプタは、外付け電話から発信指示があった時、ＩＳＤＮ網に対して発信処理を行う第１の発信手段と、発信処理後にＩＳＤＮ網から利用可回線／チャネル無しの理由表示を含んだ解放完了メッセージの受信を検出する検出手段と、発信処理が予め定めた緊急番号への発信処理であり、かつ、検出手段により理由表示を含んだ解放完了メッセージの受信を検出したという条件を満たすかどうか判定する判定手段と、条件を満たすと判定されたときには、現在使用中のＢチャネルを強制的に切断する切断手段と、切断手段により切断されたＢチャネルを使用して発信指示された緊急番号へ発信処理をする第２の発信手段とを、ＩＳＤＮのプロトコル変換用のＳ／Ｔ点インタフェース部に有することを特徴とする。
【００１６】
この発明では、発信処理後にＩＳＤＮ網から利用可回線／チャネル無しの理由表示を含んだ解放完了メッセージの受信を検出したときは、バス接続されている他のターミナルアダプタがＢチャネルを１チャネル使用中であると判断し、発信処理が予め定めた緊急番号への発信処理の場合には、自己が使用中のＢチャネルが１チャネルであっても、その１チャネルのＢチャネルを切断して、切断されたＢチャネルを使用して発信指示された緊急番号へ発信処理をするようにしたため、バス接続された他のターミナルアダプタがＢチャネルを１チャネル使用中であっても、緊急番号への発信を妨げられることなく行える。
【００１７】
【発明の実施の形態】
次に、本発明の実施の形態について図面と共に説明する。図１は本発明になるターミナルアダプタの一実施の形態のブロック図を示す。同図において、ターミナルアダプタ１０は、ＩＳＤＮ網３０に接続され、ディジタル信号をＩＳＤＮ網３０のプロトコルに変換するＳ／Ｔ点インタフェース部１１と、端末装置４１との間でデータの送受信を行うＤＴＥインタフェース部１２と、外付け電話４２、４３との間でアナログ音声信号とディジタル音声信号（ＰＣＭ符号）を相互に変換するＰＣＭ変換回路１３及び１４とから構成されている。
【００１８】
また、ターミナルアダプタ２０はターミナルアダプタ１０と同一構成であり、互いにバス接続されている。図１では図示を省略したが、ターミナルアダプタ２０にも、外付け電話や端末装置などが接続される。
【００１９】
次に、図１の実施の形態の動作について説明する。まず、バス接続されているターミナルアダプタ２０がＢｃｈを使用していないときの動作について、図２のフローチャートを併せ参照して説明する。ターミナルアダプタ１０内のＳ／Ｔ点インタフェース部１１は、例えば外付け電話４２からＰＣＭ変換回路１３を通して発信の指示を受けると、その時点でＢｃｈを２本使用しているかどうかチェックする（ステップ１０１）。Ｂｃｈを１本使用しているか、２本とも使用していないときは、ＰＣＭ変換回路１３から入力される発信番号へＩＳＤＮ網３０を介して発信する動作を行う（ステップ１０６）。
【００２０】
一方、発信の指示を受けた時に端末装置４１又は外付け電話４３の指示により既にＢｃｈを２本すべて使用中であるときには、Ｓ／Ｔ点インタフェース部１１は、入力される発信番号が予め定めた緊急番号（例えば、「１１０」、「１１９」など）であるかどうか判定する（ステップ１０２）。緊急番号でないときには、発信を行わずに発信元の外付け電話４２に対して、発信に失敗したことを通知する（ステップ１０３）。
【００２１】
他方、外付け電話４２からの発信の指示が緊急番号に対するものであるときには、Ｓ／Ｔ点インタフェース部１１は予め定めた方法により、使用中の２本のＢチャネルのうちの一方又は両方を選択して、そのＢチャネルに対応した呼番号値を用いてＤチャネル上に切断メッセージを送信する（ステップ１０４）。ここで、「予め定めた方法」には、例えば、後から使用中となったＢチャネルを選択する、というような方法などが考えられる。
【００２２】
切断メッセージは、Ｓ／Ｔ点インタフェース部１１からＩＳＤＮ網３０を介して通信中の端末に送信され、ここで受信されて応答があると、ＩＳＤＮ網３０から切断完了を示す解放メッセージがターミナルアダプタ１０へ返送される。そこで、Ｓ／Ｔ点インタフェース部１１は、切断メッセージ送信後は解放メッセージを受信したかどうか監視し（ステップ１０５）、解放メッセージを受信した場合は、外付け電話４２から指示された緊急番号に対して発信処理を行う（ステップ１０６）。
【００２３】
従って、この実施の形態では、ステップ１０４で予め定めた方法によりＢｃｈの一つを選択して、そのＢチャネルに対応した呼番号値を用いてＤチャネル上に切断メッセージを送信することとした場合は、Ｂｃｈを２本使用中であっても外付け電話４２から緊急番号への発信指示があったときには、使用中のＢｃｈのうちの１本は強制的に切断して、外付け電話４２から緊急番号へのＢｃｈを使用しての発信処理が妨げられることなく優先してできることは勿論のこと、それまで使用中であったＢｃｈ２チャネルのうちの１チャネルは引き続き使用可能である。
【００２４】
また、この実施の形態では、使用中のＢｃｈの１チャネルを強制的に切断する処理と切断完了の待ち合わせが自動的に行われるので、ユーザに対しては通常の発信と同じユーザインタフェースを提供することができる。これは、ユーザの判断能力が通常よりも著しく低下する可能性がある、緊急番号への発信時において特に有効である。
【００２５】
次に、ターミナルアダプタ１０とバス接続されているターミナルアダプタ２０が、Ｂｃｈを１チャネルずつ使用しているときの動作について説明する。ターミナルアダプタ１０内のＳ／Ｔ点インタフェース部１１は、ターミナルアダプタ２０がＢｃｈを使用しておらず、かつ、ターミナルアダプタ１０がＢｃｈを１チャネルだけ使用している場合に、例えば外付け電話４２から発信指示があったときは、前述したように発信番号へ発信処理を行う。しかし、このときターミナルアダプタ１０がＢｃｈを既に１チャネル使用中であるときには、ＩＳＤＮ網３０からターミナルアダプタ１０に対して理由表示＃３４（利用可回線／チャネル無し）を含んだ解放完了メッセージが返送される。
【００２６】
ターミナルアダプタ１０内のＳ／Ｔ点インタフェース部１１は、この理由表示＃３４の解放完了メッセージを受信したとき、外付け電話４２からの発信の指示が、電話番号「１１０」や「１１９」等の緊急番号に対するものであるかどうか判定し、緊急番号であった場合は、使用中のＢチャネルに対応した呼番号値を用いてＤチャネル上に切断メッセージをＩＳＤＮ網３０へ送信する。そして、切断メッセージ送信後にＩＳＤＮ網３０からの切断完了を示す解放メッセージを受信するかどうか監視し、解放メッセージの受信を待って緊急番号への発信処理を行う。
【００２７】
このように、この実施の形態では、発信処理した直後に、ＩＳＤＮ網３０から理由表示＃３４の解放完了メッセージを受信したときには、バス接続されている他のターミナルアダプタ２０がＢｃｈを１チャネル使用中であると判断し、緊急番号への発信指示に対してのみ、自分が現在使用中のＢｃｈ１チャネルについて切断して、緊急電話の発信を優先するようにしたため、外付け電話から緊急番号へのＢｃｈを使用しての発信処理が妨げられることなく優先してできる。また、このとき、バス接続されているターミナルアダプタ２０の通信は、そのまま継続できる。
【００２８】
【発明の効果】
以上説明したように、本発明によれば、Ｂチャネルを２チャネルすべて使用していても、緊急番号の発信指示があったときには、緊急番号の発信ができる。緊急番号への発信は、時には人命に関ることもあるので、使用中のＢチャネルのうちの少なくとも１チャネルを切断して、切断したＢチャネルを使用して緊急番号への発信を優先させることができる。このとき、使用中のＢチャネルのうちの１チャネルのみを切断することとすることにより、それまで使用中のＢチャネルのうちの１チャネルは、緊急番号の発信が行われても、引き続き使用を確保することができ、他のＢチャネルに与える影響を最小限にすることができる。
【００２９】
また、本発明によれば、使用中のＢチャネルの回線切断と、回線切断完了の待ち合わせを自動的に行い、ユーザに対して通常の発信と同じユーザインタフェースを提供するようにしたため、ユーザがＢチャネルの切断を要求するための特別な操作を不要にできる。これは、ユーザの判断能力が通常時よりも著しく低下する可能性がある緊急番号発信時にとって特に有効である。
【００３０】
更に、本発明によれば、発信処理後にＩＳＤＮ網から利用可回線／チャネル無しの理由表示を含んだ解放完了メッセージの受信を検出したときは、発信処理が予め定めた緊急番号への発信処理の場合には、自己が使用中のＢチャネルを切断して、切断されたＢチャネルを使用して発信指示された緊急番号へ発信処理をするようにしたため、バス接続された他のターミナルアダプタと本発明のターミナルアダプタとがそれぞれＢチャネルを１チャネル使用中であっても、緊急番号への発信を優先して行うことができる。
【図面の簡単な説明】
【図１】本発明の一実施の形態のブロック図である。
【図２】図１の動作説明用フローチャートである。
【図３】従来の端末網制御装置の一例のブロック図である。
【符号の説明】
１０、２０  ターミナルアダプタ
１１  Ｓ／Ｔ点インタフェース部
１２  ＤＴＥインタフェース部
１３、１４  ＰＣＭ変換回路
３０  ＩＳＤＮ網
４１  端末装置
４２、４３  外付け電話
【図１】
0003678657.tif 000002
【図２】
0003678657.tif 000003
【図３】
0003678657.tif 000004